(57)【要約】      （修正有）【課題】洗面器使用中に生じ鉢体内面に付着した汚物を簡単に洗い流すことができ、洗浄用水栓の開閉操作だけで効率良く洗浄できる洗面器を提供する。【解決手段】洗面器には、洗面用水栓３とは別に洗浄用水栓４と、鉢体内面上部に洗浄用水吐水口５を鉢体内面に沿って洗浄水が流れるような方向に設けているので、洗浄用水栓４を開けると、洗浄用水吐水口５から吐水された水流が、渦巻き状に流れ、鉢体内面全域を洗い流す。この水流によって洗面器使用中に生じた汚物を簡単に洗い流すことができる。【選択図】図１
2012019803.tif 000002
【特許請求の範囲】
【請求項１】
洗面器において、洗面用水栓とは別に、鉢体内面を洗浄するための洗浄用水栓を設け、この水栓からの吐水が鉢体内面に沿って渦巻き状の水流が発生するように洗浄水吐水口を設けたことを特徴とする洗面器。
【請求項２】
請求項１の特徴を持つ洗面器を組み込んだ洗面化粧台。
【発明の詳細な説明】
【技術分野】
【０００１】
本発明は洗面器に関する。
【背景技術】
【０００２】
従来、手洗い、歯磨、洗面、洗髪等に使用される洗面器は、洗面用水栓が上部に設けられ、洗面器鉢体内面の底部に排水口が設けられている。そして、上部に設けられた洗面用水栓から吐出された水は、鉢体内面に落下し排水口から流出するようになっている。また、ゴム栓や貯水栓で排水口を塞いで、鉢体内面に貯水する機能を備えている。また、貯水された水が鉢体上部から溢れ出ないように、鉢体内面の上部位置にオーバーフロー口が設けられている。更に、最近では、水栓を引き出して使用できるシャワー水栓を備えている洗面器もある（非特許文献１参照）。
【０００３】
手洗い、歯磨、洗面、洗髪等で使用中の洗面器に於いては、石鹸泡や塵や髪の毛等様々な汚物が鉢体内に付着し残留する。この汚物を洗い流すために、手に水を貯めて洗い流す、別の器を用意してこれに水を貯めて洗い流す。シャワー水栓を用いて洗い流す。ゴム栓や貯水栓で排水口を塞ぎ水を貯めてからゴム栓や貯水栓を開けて洗い流す。等様々な方法が取られているが、いずれの方法で洗浄するにしても手間や時間がかかる。
【０００４】
この残留した汚物を洗浄するために、通常の水栓とは別に洗浄用の水栓と洗浄水口を設けたもの（特許文献１参照）や洗浄用の水放出口を設けた洗面器が提案されている（特許文献２参照）。
【先行技術文献】
【特許文献】
【０００５】
【特許文献１】実開平６−２０５５４
【特許文献２】特開２００１−６１６８７
【非特許文献】
【０００６】
【非特許文献１】ＴＯＴＯ（株）  「洗面化粧台カタログ  オクターブ  ２０１０年１月  ４９ページ  」（ネットカタログ）
【発明の概要】
【発明が解決しようとする課題】
【０００７】
先に述べたように、使用後の洗面器鉢体内には石鹸泡や塵や髪の毛等の様々な汚物が付着し残留している。この汚物を洗浄するために、手や器に水を貯めて洗い流す。シャワー機能付水栓の付属する洗面器のにおいてはシャワーで洗い流すことができる。さらに、ゴム栓や貯水栓を用いて鉢体内に貯水した水をゴム栓や貯水栓を開けて排水し洗い流す方法も考えられる。しかしながら、いずれの方法で洗浄するにしても、手が濡れたり、別の器を用意したり、慎重に作業しないと鉢体外に水がこぼれる、洗浄するのに時間がかかるなど、手間がかかり、効率が悪いという問題がある。
【０００８】
また、特許文献１，で示された洗面器では、洗浄水の吐水口が洗面器の手前側中央にあり水流が鉢体全体に流れにくいという問題がある。
【０００９】
さらに特許文献２で示された洗面器では、洗浄水の水流が弱く鉢体全体を洗浄するのに時間がかかる。また、洗浄水を流すための構造が複雑になるという問題が考えられる。
【課題を解決するための手段】
【００１０】
前記の課題を解決するために、本発明による洗浄機能を備えた洗面器は、洗面用水栓とは別に、洗浄用水栓と洗浄用水の吐水口を設ける。洗浄用水の吐水口は、洗面器鉢体の上部に設け、洗浄水が鉢体内面に沿って渦巻き状に流れるような方向に向けて設ける。
【発明の効果】
【００１１】
本発明の洗浄機能を備えた洗面器には、洗面用水栓とは別に洗浄用水栓と、鉢体内面上部に洗浄用水吐水口を鉢体内面に沿って洗浄水が流れるような方向に設けているので、洗浄用水栓を開けると、洗浄用水吐水口から吐水された水流が、鉢体内面に沿ってその表面を渦巻き状に流れ、鉢体内面全域を洗い流す。この水流によって洗面器使用中に生じ鉢体内面に付着した汚物を簡単に洗い流すことができ、洗浄用水栓の開閉操作だけで効率良く洗浄できるという効果が生じる。
【図面の簡単な説明】
【００１２】
【図１】図１は洗面器の一例を示す上面図である。
【図２】図２は洗面器の洗浄水用水栓と栓浄水吐出口を示すＡ−Ａ断面図である。
【図３】図３は図２に洗浄水飛び出し防止用の縁８を設けたＡ−Ａ断面図である。
【図４】図４は手洗い用水栓３と洗浄用水栓４の接続関係を示すＢ−Ｂ断面図である。
【発明を実施するための最良の形態】
【００１３】
本発明による洗浄機能を備えた洗面器を実施するための形態を実施例に基づき図面を参照して、以下説明する。
【実施例】
【００１４】
本発明による洗浄機能付き洗面器の実施例を図１、図２において説明する。洗面器本体は図示しない建物躯体の壁面へ固定されたり、洗面化粧台の主構成部品として洗面化粧台に組み入れられている。図１は本発明による洗浄機能を備えた洗面器の上面図である。
【００１５】
本発明による洗面器は、洗面器本体１、洗面用水栓３、洗浄用水栓４、洗浄水吐水口５、排水口６、を備えている。洗浄用水栓４の給水口は水量調節可能な止水栓１０を通して洗面用水栓３の給水口と同じ給水管に接続されている。洗浄用水栓４の吐水口は洗浄水吐水口５に接続されており、洗浄用水栓４を開けると洗浄水吐水口５から水が吐出される。
【００１６】
洗浄水吐水口５は、洗面器内面２の上部に洗面器内面２に沿った水流が吐出される方向に設けらている。そのために、洗浄水吐水口５から吐水された水は、洗面器内面２の表面に沿うように流れ、渦巻き状の水流７が生じやがて排水口より排水される。強い水流が鉢体内面の全域を通過するので、洗面器使用中に鉢体内に付着した石鹸泡や塵や髪の毛等の様々な汚物を洗い流すことが可能になる。
【００１７】
洗面器本体１の内面２は洗浄水吐水口５から吐水された水が、渦巻き状の水流を生じやすいように、半球体や半楕円球体の様に角のない形状が望ましい。
【００１８】
図３のように、洗浄水吐水口から勢い良く出た水が洗面器鉢体の外に飛び出さないように縁８を付けてもよい。
【００１９】
図１では洗面器右側に洗浄用水栓がある例を示したが、これは、左側にあっても良い。
【００２０】
図１では洗面器右側に洗浄用水吐水口がある例を示したが、これは、左側にあっても良い。
【００２１】
洗浄用水栓は、プッシュ式ワンタッチ水栓を備えれば洗浄操作が簡単になる。
【００２２】
洗浄用水栓を電磁弁式にすれば人感センサーと併用して、人が洗面器に近づいたときと離れた時を感知し、洗面器使用前、使用後の自動洗浄が可能になる。
【産業上の利用可能性】
【００２３】
本発明による洗浄機能は、洗面器に限らず、手洗器や台所用の流し台にも適用可能である。
【符号の説明】
【００２４】
１  洗面器本体
２  洗面器内面
３  洗面用水栓
４  洗浄用水栓
５  洗浄水吐水口
６  排水口
７  洗浄水の水流方向を示す
８  洗浄水飛散防止用の縁
９  分岐栓
１０  流量調節機能付き止水栓
１１  オーバーフロー口
【図１】
2012019803.tif 000003
【図２】
2012019803.tif 000004
【図３】
2012019803.tif 000005
【図４】
2012019803.tif 000006
【手続補正書】
【提出日】平成23年5月15日(2011.5.15)
【手続補正１】
【補正対象書類名】図面
【補正対象項目名】全図
【補正方法】変更
【補正の内容】
【図１】
2012019803.tif 000007
【図２】
2012019803.tif 000008
【図３】
2012019803.tif 000009
【図４】
2012019803.tif 000010